(57)【要約】【課題】小型で耐衝撃に優れたレンズ鏡枠の保持を実現可能なカメラを提案する。【解決手段】カメラの前カバーに収納される鏡枠装置（レンズ鏡枠）４は、鏡枠本体１７の左辺側上下を貫通する固定ピン４１，４２により前カバーに取り付けられる。固定ピン４１，４２は、各２つのゴムブッシュを介在した状態で鏡枠本体１７を貫通しており、鏡枠本体１７は、前カバーに対して光軸Ｏ1 と平行なＺ方向に上記各ゴムブッシュが弾性変形することにより変位可能な状態で支持されている。従って、カメラがＺ方向の衝撃力を受けたとき、上記各ゴムブッシュが弾性変形して鏡枠本体１７がＺ方向にわずかな距離変位することにより上記衝撃力が吸収される。なお、鏡枠本体１７の上記左辺側には、重量が比較的に重いシャッタアクチュエータやフォーカス用アクチュエータさらにフォーカスユニット等が配されている。【選択図】図５
2007199208.tif 000002
【特許請求の範囲】
【請求項１】
第１の光軸に沿って入射した被写体光を上記第１の光軸に交差する第２の光軸に向けて反射する反射光学部材を有するレンズ鏡枠と、
上記レンズ鏡枠が取り付けられる固定部材と、
上記第１の光軸と上記第２の光軸とで規定される光軸面を基準として上記レンズ鏡枠の一方側に配されるレンズ鏡枠取り付け部と、
上記レンズ鏡枠に配され、上記レンズ鏡枠内の可動部を駆動するための複数の駆動源と、
を具備し、上記複数の駆動源のうち少なくとも１つを、上記光軸面を基準として上記レンズ鏡枠取り付け部が配される側に配することを特徴とするカメラ。
【請求項２】
第１の光軸に沿って入射した被写体光を上記第１の光軸に交差する第２の光軸に向けて反射する反射光学部材を有するレンズ鏡枠と、
上記第１の光軸に沿って被写体光を上記レンズ鏡枠に導くための開口を有し、上記レンズ鏡枠が取り付けられる固定部材と、
上記開口を開放する位置と、遮蔽する位置との間で移動可能に上記固定部材に取り付けられるレンズバリアと、
上記第１の光軸と第２の光軸とで規定される光軸面を基準として上記レンズ鏡枠の一方側に配されるレンズ鏡枠取り付け部と、
上記レンズ鏡枠に配され、レンズ鏡枠内の可動レンズを駆動するための駆動源と、
上記レンズ鏡枠に配され、上記レンズバリアを駆動するための駆動部材と、
を具備し、上記駆動部材は、上記光軸面を基準として上記レンズ鏡枠取り付け部が配される側に配されることを特徴とするカメラ。
【請求項３】
上記レンズ鏡枠が上記レンズ鏡枠取り付け部を介して上記固定部材に取り付けられた状態で、上記レンズ鏡枠は、上記固定部材に対する上記光軸面に対し直交する方向と上記第２の光軸に平行な方向への移動とが規制され、上記第１の光軸に平行な方向への移動が許容されることを特徴とする請求項１または請求項２に記載のカメラ。
【発明の詳細な説明】
【技術分野】
【０００１】
本発明は、レンズ鏡枠を内蔵するカメラの配置、および、構造に関する。
【背景技術】
【０００２】
近年、カメラなど撮影機能を有する装置は、その小型化が望まれている。例えば、特許文献１に開示されたカメラは、入射光束の光軸を折り曲げる折り曲げ光学系をレンズ鏡枠の撮影光学系として採用することにより装置の薄型化を図っている。そして、上記レンズ鏡枠に外部から加わる負荷による悪影響を抑止するために、上記レンズ鏡枠を略並行する二面にて保持する鏡枠保持手段を採用している。
【０００３】
また、特許文献２に開示されたレンズ鏡枠のバリア装置は、入射光束を反射させて折り曲げる反射部材を有するレンズ鏡枠にバリア開閉機構を一体化させた装置である。
【特許文献１】特開２００５一２５７７８４号公報である。
【特許文献２】特開２００２−３４１４０１号公報である。
【発明の開示】
【発明が解決しようとする課題】
【０００４】
ところが、カメラなど携帯機器は、携帯中や使用中などに落下などにより予期せぬ衝撃を受けることがある。従って、装置自体の小型化を図りつつも、落下衝撃などが加わっても著しい性能劣化が生じない構造を有することが求められる。その点で特許文献１に開示された技術は、外部からの衝撃に対し考慮されてはいるが、上記レンズ鏡枠を保持するために平行な二面をレンズ鏡枠側に形成する必要があり、装置の小型化に不利である。また、一般的にレンズ鏡枠内には変倍用、フォーカシンク用、露出調節用などの複数の駆動源とその駆動ユニットといった比較的重量のあるものを配置する必要がある。そして、衝撃などへの耐性を高めるためにはレンズ鏡枠の保持部とこれらの部材を適切に配置する必要がある。
【０００５】
また、特許文献２に開示されたバリア装置のようにレンズ鏡枠内の駆動源を利用して駆動される部材が配されることが多いが、これらをレンズ鏡枠内に配する構造を採用すると、レンズ鏡枠自体が大型化してしまう。また、レンズバリアのように外観に現れる部材をレンズ鏡枠に取り付けた場合、他の外装部材とレンズバリアとの位置ずれの問題が発生する。さらに、防水や防滴構造を採用することも困難となる。このような場合、レンズバリアなどをレンズ鏡枠てはなく他の外装部材に取り付けることも考えられる。その場合、レンズ鏡枠がカメラ内部で変位した場合にその連結部分が外れるおそれがある。
【０００６】
本発明は、上記の事情に鑑み、小型で耐衝撃に優れたレンズ鏡枠の保持を実現可能なカメラを提案することを１つの目的とし、レンズ鏡枠と他の機構との機械的連結が容易であるカメラを提案することを他の目的とする。
【課題を解決するための手段】
【０００７】
本発明の請求項１記載のカメラは、第１の光軸に沿って入射した被写体光を上記第１の光軸に交差する第２の光軸に向けて反射する反射光学部材を有するレンズ鏡枠と、上記レンズ鏡枠が取り付けられる固定部材と、上記第１の光軸と上記第２の光軸とで規定される光軸面を基準として上記レンズ鏡枠の一方側に配されるレンズ鏡枠取り付け部と、上記レンズ鏡枠に配され、上記レンズ鏡枠内の可動部を駆動するための複数の駆動源とを具備し、上記複数の駆動源のうち少なくとも１つを、上記光軸面を基準として上記レンズ鏡枠取り付け部が配される側に配する。
【０００８】
本発明の請求項２記載のカメラは、第１の光軸に沿って入射した被写体光を上記第１の光軸に交差する第２の光軸に向けて反射する反射光学部材を有するレンズ鏡枠と、上記第１の光軸に沿って被写体光を上記レンズ鏡枠に導くための開口を有し、上記レンズ鏡枠が取り付けられる固定部材と、上記開口を開放する位置と、遮蔽する位置との間で移動可能に上記固定部材に取り付けられるレンズバリアと、上記第１の光軸と第２の光軸とで規定される光軸面を基準として上記レンズ鏡枠の一方側に配されるレンズ鏡枠取り付け部と、上記レンズ鏡枠に配され、レンズ鏡枠内の可動レンズを駆動するための駆動源と、上記レンズ鏡枠に配され、上記レンズバリアを駆動するための駆動部材と、を具備し、上記駆動部材は、上記光軸面を基準として上記レンズ鏡枠取り付け部が配される側に配される。
【０００９】
本発明の請求項３記載のカメラは、請求項１または２記載のカメラにおいて、上記レンズ鏡枠が上記レンズ鏡枠取り付け部を介して上記固定部材に取り付けられた状態で、上記レンズ鏡枠は、上記固定部材に対する上記光軸面に対し直交する方向と上記第２の光軸に平行な方向への移動とが規制され、上記第１の光軸に平行な方向への移動が許容される。
【発明の効果】
【００１０】
本発明によれば、小型で耐衝撃に優れたレンズ鏡枠の保持を実現可能なカメラを提案することができ、さらに、レンズ鏡枠と他の機構との機械的連結が容易であるカメラを提案することができる。
【発明を実施するための最良の形態】
【００１１】
以下、図を用いて本発明の実施形態について説明する。  
図１は、本発明の第一の実施形態のカメラの撮像光学系の光軸面上における断面図である。図２は、本実施形態のカメラにおける鏡枠装置内の配置を背面側からみた図である。図３は、上記鏡枠装置の内部構成を背面側から見た斜視図である。図４は、上記カメラにおける上記鏡枠装置の前カバーへの取り付け状態を示す分解斜視図である。図５は、上記鏡枠装置における鏡枠取り付け部の分解斜視図である。図６は、上記取り付け部の断面拡大図である。
【００１２】
以下の説明において、カメラの左右方向をＸ方向とし、Ｘ方向と直交する上下方向（後述する光軸Ｏ1 と直交する光軸Ｏ2 に平行な方向）をＹ方向とし、Ｘ，Ｙ方向に直交する前後方向をＺ方向とする。Ｚ方向は、光軸Ｏ1 と平行な方向（カメラの厚み方向）であり、Ｚ方向にてカメラの被写体側を前側とし、撮影者側を後側（背面側）とする。Ｘ方向の左右方向はカメラ背面側から見た方向で示す。また、光軸Ｏ1 と光軸Ｏ2 を共有する面を光軸面とする。該光軸面は、ＹＺ面と平行な面となる。
【００１３】
本実施形態のカメラ１は、図１に示すように前，後面がメタルカバー５，６により覆われた外装体であって、鏡枠装置４を固定する固定部材としての前カバー２と、後カバー３とを有しており、該カバー２，３内の左側にレンズ鏡枠である鏡枠装置４と、その右側に電装部（図示せず）とが収納される。
【００１４】
鏡枠装置４は、図２に示すように鏡枠本体１７の中央上部に取り付けられる反射光学枠１３（図１）内に配される反射光学系ユニット３１と、その下方の鏡枠本体１７の中央部に配される撮像光学系ユニット３２と、さらに、鏡枠本体１７の左側上部に配されるシャッタ用アクチュエータ３７と、左側下部に配されるフォーカス用アクチュエータ３５／フォーカスユニット３６と、右側上部に配されるバリア駆動部材であるバリア連結部３８が配され、右側下部に配されるズーム用アクチュエータ３３／ズームユニット３４とを有している。なお、鏡枠本体１７の枠部前後開口部は、金属板５８，５９により覆われている（図１）。
【００１５】
鏡枠装置４は、前カバー２の内部にて光軸面の左側の２カ所に配される後述する鏡枠取り付け部によって鏡枠本体を介して支持されるが、該鏡枠取り付け部は、シャッタ用アクチュエータ３７の上方部とフォーカス用アクチュエータ３５／フォーカスユニット３６の下方部との２箇所に配され、衝撃力吸収のためにＺ方向に微少変位可能な状態で上記鏡枠装置４を支持する。このように鏡枠取り付け部は、光軸面に対し鏡枠装置４の一方側に配置されている。そして、２つの鏡枠取り付け部が光軸Ｏ2方向に離間して配置さている。
【００１６】
反射光学系ユニット３１は、反射光学枠１３内に組み付けられた状態で、前カバー上部の開口部２ａ（図４）上の撮影窓部１２の後方に対向して置される。そして、図１に示すように被写体光を取り込み、第一の光軸の光軸Ｏ1 をもつ第一群前レンズ１４と、第一群前レンズ１４からの被写体光を直交するＹ方向の光軸Ｏ2 の方向に向けて反射するプリズム１５と、プリズム１５からの反射光を撮像光学系ユニット３２の第二群レンズ１９側に出射する第一群後レンズ１６となからなる。
【００１７】
第一群前レンズ１４の前方位置には、図７に示すように前カバー２の撮影窓部１２を開閉する回動可能なレンズバリア７７が配されている。さらに、反射光学系ユニット３１の右側方に配されるバリア連結部３８の前方にはレンズバリア７７を開閉駆動するバリア駆動伝達ユニット７１が配されている。
【００１８】
撮像光学系ユニット３２は、図１に示すように鏡枠本体１７の中央部にて下方に順次配設される第二の光軸の光軸Ｏ2 をもつ光学系として、進退可能な第二群枠１８に保持される第二群レンズ１９と、固定配置されるシャッタ枠２０に保持されるシャッタ羽根２１と、進退可能な第三群枠２２に保持される第三群レンズ２３と、進退可能な第四群枠２４に保持される第四群レンズ２５と、鏡枠本体１７の下方部に固定支持される撮像ユニット３９とからなる。
【００１９】
撮像ユニット３９は、光学フィルタ２６と撮像素子であるＣＣＤ２７とＣＣＤ支持板２８からなる。
【００２０】
シャッタ用アクチュエータ３７は、図３に示すようにシャッタ枠２０の左側方に配され、シャッタ羽根２１の開閉駆動を行う。
【００２１】
フォーカス用アクチュエータ３５は、シャッタアクチュエータ３７の下方部に配され、フォーカスユニット３６を介して第四群レンズ２５を保持する第四群枠２４のフォーカシング進退駆動を行わせるアクチュエータである。
【００２２】
フォーカスユニット３６は、第四群枠２４のフォーカシング進退駆動を行うための機構部であって、フォーカス用アクチュエータ３５の近傍に配され、Ｙ方向に沿って配されるガイド軸や送りネジ軸等からなる。
【００２３】
ズーム用アクチュエータ３３は、鏡枠本体１７の右端部に突出した状態で配される。ズームユニット３４を介して第二，三群枠１８，２２のズーム進退駆動、さらに、バリア連結部３８の回転駆動を行うためのアクチュエータである。
【００２４】
ズームユニット３４は、第二，三群枠１８,２２のズーム進退駆動を行うための機構部であって、ズーム用アクチュエータ３３の近傍に配され、Ｙ方向に沿って配されるガイド軸や回動駆動軸，ズームカム等からなる。
【００２５】
バリア連結部３８は、レンズバリアを開閉するバリア駆動伝達ユニット７１を駆動するためのカム部からなり、図８に示すように鏡枠本体１７の右側上方部に配され、ズームユニット３４の上記回転駆動軸によりギヤを介して駆動される。なお、バリア連結部３８およびバリア駆動伝達ユニット７１の詳細については後で説明する。
【００２６】
上述した鏡枠取り付け部は、図５，６に示すように鏡枠本体１７の左側上、下の取り付け支持部１７ａ，１７ｅの穴部に挿入される固定ピン４１，４２と、上下２対の弾性部材からなるゴムブッシュ４３，４４および４５，４６とからなる。なお、鏡枠本体１７の上下に配される鏡枠取り付け部は、上、下とも略同一形状を有している。
【００２７】
鏡枠本体１７の取り付け支持部１７ａ，１７ｅには、Ｚ方向の穴部が形成されており、該穴部は、固定ピン４１，４２が隙間なく嵌合する嵌合穴部１７ｃと、軸方向前後位置に設けられるゴム嵌入穴１７ｂと、ゴム嵌入穴１７ｂと嵌合穴部１７ｃ間に設けられるテーパ部１７ｄとが形成されている。なお、嵌合穴部１７ｃは、固定ピン１７ａ、１７ｅとの軸方向嵌合部幅が少なくなるようにテーパ部１７ｄにより、穴部の内周から突出して形成されている。なお、の嵌合穴部１７ｃの固定ピン１７ａ、１７ｅと接触する部分を微小円弧断面形状で形成して固定ピン１７ａ、１７ｅと線接触により嵌合するようにしてもよい。
【００２８】
ゴムブッシュ４３，４４は、ゴム嵌入穴１７ｂに変形させて挿入（圧入状態）される外径部と、テーパ部１７ｄに当接する傾斜面部とを有している。
【００２９】
固定ピン４１，４２は、先端部が球面状、または、面取り形状になっており、その反対側端部には鍔部４１ｃ，４２ｃとピン部４１ａ，４２ａとが形成されている。
【００３０】
鏡枠本体１７側には図４に示すように取り付け支持部１７ａ，１７ｅの各軸穴部１７ｃに対向する上下位置に軸嵌入穴２ｂ，２ｃが設けられる。
【００３１】
上記鏡枠取り付け部により鏡枠装置４を前カバー２に取り付ける場合、例えば、図５に示すようにゴムブッシュ４３，４４および４５，４６を鏡枠本体１７のゴム嵌入穴１７ｂに装着後、固定ピン４１，４２の先端側からゴムブッシュ４３，４５、鏡枠本体１７の軸穴１７ｃ、さらに、ゴムブッシュ４４，４６に挿入し、貫通させる。該ゴムブッシュは、図６に示すようにそれぞれの取り付け支持部１７ａ，１７ｅからＺ方向前面側および後面側に所定量突出した状態になっている。固定ピン４１，４２もゴムブッシュ４３，４５および４４，４６に対して圧入状態となる。ゴムブッシュ４３，４５の後端面は、固定ピン４１，４２の鍔部４１ｃ，４２ｃに当接させる。
【００３２】
固定ピン４１，４２とゴムブッシュが装着された鏡枠装置４を図４に示すように前カバー２の鏡枠装着部に挿入し、固定ピン４１，４２の先端部を前カバー２の軸嵌入穴２ｂ，２ｃにガタなく嵌入させる。
【００３３】
固定ピン４１，４２を装着した後、金属板製の押さえ板５１，５２で固定ピン４１，４２を押さえ付け、また、金属板製の押さえ板５３，５４を鏡枠本体１７の背面から前カバー２に取り付ける。詳しくは、押さえ板５１，５２を前カバー２側の位置決めピン２ｅ，２ｆおよび２ｈで位置決めした状態で挿通穴５１ａ，５２ａを挿通させたビスを鏡枠本体１７側のビス穴２ｄ，２ｇに螺着して固定する。そのとき、押さえ板５１，５２のピン穴５１ｄ，５２ｄを固定ピン４１，４２の後端ピン部４２ａに嵌入させて、鍔部４１ｃ，４２ｃを前方向に押さえ付ける。ゴムブッシュ４３，４４および４５，４６は、前後に突出した部分が所定量押圧変形する。このように、鏡枠取り付け部から離間した位置での鏡枠装置４の後方への移動は、上記押さえ板５３、５４により規制される。なお、鏡枠装置４は前カバー２に対し、後述する緩衝材５５により後方に付勢された状態にある。
【００３４】
一方、押さえ板５３，５４を前カバー２側の位置決めピン２ｋ，２ｊおよび２ｎ，２ｐで位置決めした状態で挿通穴５３ａ，５４ａに挿通させたビスを前カバー２のビス穴２ｉ，２ｍに螺着して固定する。
【００３５】
上述の取り付け状態で鏡枠本体１７の取り付け支持部１７ａ，１７ｅは、Ｚ方向にてゴムブッシュ４３，４４および４５，４６の前後に突出した部分を介在した状態で前方側は前カバー２、後方側は押さえ板５１，５２で押圧された鍔部４１ｃ，４２ｃで挟み込まれる。
【００３６】
また、押さえ板５３，５４は、鏡枠本体１７の後面側に保持される。したがって、鏡枠本体１７に衝撃が加わりＺ方向後方に相対変位、または、傾くような場合には、押さえ板５３，５４によりその変位が規制される。一方、鏡枠本体１７の前面側は、ゴムブッシュ４４および４６以外の部分は、前カバー２と所定距離離間した状態に保持され、鏡枠本体１７の前側中央部など、鏡枠取り付け部から離間した位置に弱い緩衝材５５（図１）が圧縮された状態で挿入されている。したがって、鏡枠本体１７がＺ方向前方に相対変位、または、傾いた場合には、緩衝材５５が更につぶれ、直接鏡枠本体１７が前カバー２に当接することは避けられる。
【００３７】
上述の鏡枠取り付け部を適用したカメラ１にＺ方向成分を有する衝撃力が作用した場合、鏡枠本体１７は、前カバー２に対してゴムブッシュ４３，４４および４５，４６の弾性変形により微少量変位し、上記衝撃力が吸収される。Ｘ方向（具体的には光軸Ｏ1 と光軸Ｏ2 を有する光軸面と直交する方向）、または、Ｙ方向（具体的には光軸Ｏ2 と平行な方向）成分に関しては、固定ピン４１，４２で鏡枠本体１７が支持されているので移動が規制され、鏡枠装置４のＸＹ平面上の位置は保持される。また、Ｘ軸、または、Ｙ軸、さらに、Ｚ軸まわり、および、各軸から傾斜した軸まわりの回動成分に関しては、ゴムブッシュ４３，４４および４５，４６がそれぞれ径方向の厚みが変化することにより回動による衝撃力が吸収される。上述したように、固定ピン４１、４２と嵌合穴部１７ｃとの嵌合長を短く設定しているので、鏡枠装置４の回動方向への移動も許容することができ耐衝撃性を増すことができる。
【００３８】
なお、固定ピン４１、４２と嵌合穴部１７ｃとの間に若干の隙間を形成すれば、Ｘ方向、Ｙ方向への鏡枠装置４の移動をも許容することができ、より耐衝撃性を増すことが出来る。
【００３９】
本実施形態のカメラ１の配置では、図２に示すように鏡枠装置４にて重量の大きなシャッタ用アクチュエータ３７やフォーカス用アクチュエータ３５やフォーカスユニット３６が配されている鏡枠本体１７の左側の上下位置に上記鏡枠取り付け部を配していることから鏡枠装置４が受ける衝撃力を効果的に吸収することができる。
【００４０】
次に、レンズバリア７７を開閉駆動するためのバリア連結部３８およびバリア駆動伝達部７１について図７〜１２を用いて説明する。  
図７は、上記カメラのレンズバリアおよびバリア駆動伝達部の分解斜視図である。図８は、上記カメラのバリア連結部およびバリア駆動伝達部の分解斜視図である。図９は、上記バリア駆動伝達部の拡大断面図である。図１０は、上記バリア連結部およびバリア駆動伝達部の配置を示す模式的平面図である。図１１は、上記バリア連結部のカム部展開図である。図１２は、図１０のＡ矢視図であって、上記レンズバリアの開閉状態を示す図である。
【００４１】
バリア連結部３８は、図８に示すように下側カム６２と、上側カム６３と、カム支持部材６１とからなり、鏡枠本体１７の右側上面部１７ｉに取り付けられる。
【００４２】
下側カム６２は、傾斜カム面６２c1と平坦カム面６２c2とからなる下側カム部と有し、上方部に軸端部６２ａと下方部にギヤ部６２ｂを有している。
【００４３】
上側カム６３は、傾斜カム面６３b1と平坦カム面６３b2とからなる上側カム部と有している。
【００４４】
下側カム６２と上側カム６３とを組み合わせ、軸端部６２ａにＥ型止め輪６４をはめ込み、一体化することにより傾斜カム溝と平坦カム溝とからなるカム溝（円筒カム）が形成される。一体化された下側カム６２と上側カム６３を鏡枠本体１７の右側上面部（図８では左側上面部となる）１７ｉに装着し、軸端部６２ａを軸孔６１ａに嵌入した状態でカム支持部材６１をビス止めすると、下側カム６２と上側カム６３とは一体で回転可能な状態となる。下側カム６２のギヤ部６２ｂは、ズームユニット３４の前記回動駆動軸側の端末ギヤ（図示せず）に噛合しており、ズーム用アクチュエータ３３によりカメラのズーミングに合わせて回転駆動される。
【００４５】
バリア駆動伝達部７１は、図７，８に示すように駆動側伝達部材７３と、トーションバネ７４と、従動側伝達部材７５と，Ｏリング７６とからなり、取り付け板７２により前カバー２の上部内面部に取り付けられる。
【００４６】
駆動側伝達部材７３は、外周に突出するカムフォロア部７３ａと、前方に突出する係合突起部７３ｂを有している。
【００４７】
従動側伝達部材７５は、後方に延びる軸部７５ａと、後方側に突出する係合突起部７５ｂと、前方側先端部に設けられる非円形のバリア係合部７５ｃとを有している。
【００４８】
駆動側伝達部材７３と従動側伝達部材７５とは、軸部７５ａで嵌合させて相対回動可能状態とし、図９に示すようにトーションバネ７４を軸部７５ａに挿入し、該バネの両フック部７４ａ，７４ｂを係合突起部７３ｂと７５ｂにそれぞれ懸架させて所定のチャージ力で係合突起部７３ｂと７５ｂとを挟み込んだ状態とする。これにより、トーションバネ７４の力量よりも小さい駆動力においては、駆動側伝達部材７３と従動側伝達部材７５とは一体的に回動する。一方、トーションバネ７４の力量よりも大きい駆動力においては、駆動側伝達部材７３と従動側伝達部材７５とがトーションバネ７４をチャージしつつ相対的に回動する。
【００４９】
上述の組み合わせ状態で従動側伝達部材７５の軸部７５ａの後端部を取り付け板７２の軸孔７２ａに嵌入し、前端部側にＯリング７６を装着して前カバー２の軸孔２ｓに挿入する。取り付け板７２を位置決め用孔７２ｂおよび切り欠き７２ｃを前カバー２のピン２ｒ及び図示せぬ位置決めピンに挿通させて位置決めする。この状態で、挿通穴７２ｄ、挿通切り欠き７２ｅを挿通させたビスをビス孔２ｑ及び図示せぬビス孔に螺着して固定する（図４）。そして、図１０に示すように駆動側伝達部材７３のカムフォロア部７３ａは、上，下側カム６２，６３のカム溝に嵌入係合させる。
【００５０】
従動側伝達部材７５のバリア係合部７５ｃには、レンズバリア７７の孔部７７ａが嵌入され、従動側伝達部材７５とレンズバリア７７が一体の状態となり、レンズバリア７７が従動側伝達部材７５を介して回動駆動可能な状態となる。
【００５１】
なお、前カバー２の軸孔２ｓは、従動側伝達部材７５に装着されるＯリング７６により前カバー２の外部に対して防水シール状態となる。また、駆動側伝達部材７３に対してレンズバリア７７側からいずれかの方向に所定以上の力が作用した場合、あるいは、レンズバリア７７がストッパに当接した状態で駆動側伝達部材７３にさらなる回動駆動力が作用した場合、トーションバネ７４がオーバーチャージ駆動され、従動側伝達部材７５と駆動側伝達部材７３とはオーバーチャージ分だけ相対回動する。
【００５２】
上述した鏡枠本体１７への組み付け状態のバリア連結部３８とバリア駆動伝達部７１においては、図１１に示すようにバリア連結部３８の上，下側カム６３，６２が電源オフ状態での回転角θ0 からワイド端回転角θ4 を経てテレ端回転角θ5 まで回動駆動されると、カムフォロア部７３ａが上，下側カム６２，６３のカム溝によりバリア閉対応位置ＢCLからバリア開放対応位置ＢOPまで移動し、レンズバリア７７が図１２に示す閉位置から開放位置まで駆動される。
【００５３】
詳しくは、上，下側カム６３，６２が回転角θ0 から電源オンによりレンズバリアを開放するために回転角θ1 ，θ2 を経てθ3 まで回転すると、カムフォロア部７３ａは、傾斜カム面６２c1，６３b1上を通り、バリア閉対応位置ＢCLからバリア準閉対応位置ＢCL′，バリア準開対応位置ＢOP′を経て平坦カム面６２c1，６３b2上のバリア開対応位置ＢOPに到達し、レンズバリア７７は、図１２に示す撮影窓１２から完全に退避した開位置に到達する。
【００５４】
なお、バリア準閉位置とは、図１２に示すバリア閉位置からわずかに開側にあるが、レンズバリア７７はまだ撮影窓１２を閉じている位置である。バリア準開位置とは、図１２に示すバリア開位置からわずかに閉側にあって、レンズバリア７７が撮影窓１２上に掛かっていない位置である。
【００５５】
その後、さらに、上，下側カム６３，６２がズームワイド端（撮影可能状態）対応の回転角θ4 からズームテレ端対応の回転角θ5 まで回転すると、カムフォロア部７３ａは、そのま平坦カム面６２c1，６３b2上を移動し、レンズバリア７７は開位置に止まる。
【００５６】
ここで、上述した各バリア開閉状態にてカメラ１にＺ方向成分の衝撃力が作用した場合の状態を説明すると、まず、電源オフ状態でＺ方向の衝撃が作用すると、鏡枠本体１７がＺ方向にわずかに移動する。その移動にともなって上，下側カム６３，６２が駆動側伝達部材７３のカムフォロア部７３ａに対してＺ方向（前後）に相対移動する。前方に移動した場合、例えば、その移動量が図１１に示す回転角θ-1相当分とすると、カムフォロア部７３ａが位置ＢOVまで移動し、トーションバネ７４がオーバーチャージされ、レンズバリア７７は、閉位置に停止したままの状態が保持される。後方に移動した場合、例えば、その移動量が図１１に示す回転角θ1 相当分とすると、カムフォロア部７３ａは、バリア準閉対応位置ＢCL′位置まで移動し、レンズバリア７７は、バリア準閉位置に移動する。このように、バリア閉状態でなんらかの衝撃などにより鏡枠装置４が変位したとしても、レンズバリア７７は、撮影窓１２を覆った状態を保ち続ける。これにより、撮影窓１２を傷つけるなどの不具合を生じることがない。
【００５７】
上，下側カム６３，６２が回転角θ1 ，θ2 ，θ3 の各位置にあるとき、カメラ１に上述した衝撃が作用しても、上，下側カム６３，６２と駆動側伝達部材７３との相対移動によりそれぞれに対応する位置にレンズバリア７７が移動するのみである。また、回転角θ1 ，θ2 ，θ3 の各位置に上、下側カム６３、６２がある場合とは、レンズバリア７７の開閉動作中である。従って、レンズバリア７７が移動している最中に若干の移動があったとしても機能上なんら問題を生じない。
【００５８】
さらに、上，下側カム６３，６２が回転角θ4 からθ5 の位置にあるとき、カメラ１に上述した衝撃が作用してもカムフォロア部７３ａが上，下側カム６３，６２の平坦カム部上を移動するのみでレンズバリア７７は、移動しない。上，下側カム６３，６２が回転角θ4 からθ5 の位置にあるときとは、カメラが撮影準備状態にあるときである。したがってこの状態でレンズバリア７７が撮影窓１２を覆うようなことがあると、撮影に支障をきたしてしまう。しかしながら本実施形態によれば、レンズバリア７７は開状態を保つのでこのような問題を生じることがない。
【００５９】
上述したようにカメラ１がＺ方向成分の衝撃力を受け、鏡枠装置４が該衝撃を吸収するためにＺ方向に移動し、バリア連結部３８とバリア駆動伝達部７１の相対位置関係がわずかにずれたとしても上述したように各機構部に不具合が生じることもなく、レンズバリアの開閉状態の不都合も生じない。
【００６０】
本実施形態のカメラ１によれば、鏡枠装置４にて重量の重いシャッタ用アクチュエータ３７やフォーカス用アクチュエータ３５／フォーカスユニット３６が位置する左方側上下に鏡枠取り付け部を配し、ゴムブッシュを介してＺ方向に移動可能な状態で鏡枠装置４を支持していることから、カメラ１に作用する衝撃を効率よく吸収することができ、また、カメラ１にＺ方向成分の衝撃力によって生じる鏡枠取り付け部の上下を結ぶ軸まわりの慣性モーメントが比較的に小さく、鏡枠装置４が受ける上記衝撃の影響を少なくすることができる。
【００６１】
また、鏡枠装置４がＺ方向にずれた場合、バリア連結部３８とバリア駆動伝達部７１と相対位置関係がわずかずれるが、結合用トーションバネ７４のオーバーチャージやバリア連結部３８のカムの形状により上記連結機構や駆動伝達部に支障が生じることがなく、レンズバリア７７の動きに不具合が生じることもない。
【００６２】
上記鏡枠取り付け部は、鏡枠装置４の光軸面に直交するＸ方向への移動を規制するようになっている。従って、前カバー２の鏡枠装置４の右側に配される電装部品を鏡枠装置４に極めて接近させた状態で収納することが可能であり、カメラの小型化に効果がある。
【００６３】
また、鏡枠取り付け部を光軸面に対し、鏡枠装置の一方側に寄せて配置することで、鏡枠装置４に衝撃が加わった場合に、衝撃を吸収するための移動の自由度が増すことができ、耐衝撃性を向上することができる。さらに、鏡枠取り付け部を２つと少なくすることができるので装置の小型化を図ることが出来る。
【００６４】
次に、本発明の第二の実施形態カメラについて図１３を用いて説明する。  
図１３は、本実施形態のカメラの前カバー内に収納される鏡枠装置内の配置を背面側から見た図である。
【００６５】
本実施形態のカメラ１Ａは、第一の実施形態のカメラに対して鏡枠装置の内部に収納される構成ユニットの配置が異なっている。その配置以外は、第一の実施形態のカメラと同様であり、以下、異なる点についてのみ説明する。
【００６６】
本実施形態においても鏡枠装置４Ａは、前カバー２の内面部にて光軸面の左側の上下位置であって、シャッタ用アクティブ３７とフォーカス用アクチュエータ３５／フォーカスユニット３６とが配される上，下方の２箇所に配される鏡枠取り付け部によって取り付けられる。上記鏡枠取り付け部は、鏡枠装置４ＡのＸ，Ｙ方向を位置決めし、衝撃力吸収のためにＺ方向のみ微少変位可能な状態で支持する。
【００６７】
そして、本実施形態においては、図１３に示すように比較的に重量の重いバリア連結部３８とズーム用アクチュエータ３３／ズームユニット３４を鏡枠取り付け部の右側近傍に配し、比較的に重量が軽い反射光学系ユニット３１と撮像光学系ユニット３２をバリア連結部３８とズーム用アクチュエータ３３／ズームユニット３４との右外側に配している。
【００６８】
なお、本実施形態における鏡枠取り付け部の構成は、第一実施形態に適用したものと同一とする。
【００６９】
本実施形態のカメラ１Ａにおいては、上述のように重量の重いバリア連結部３８とズーム用アクチュエータ３３／ズームユニット３４を鏡枠取り付け部の近傍に配することによって、カメラ１ＡにＺ方向の衝撃力が作用したときに生じる鏡枠取り付け部の上下を結ぶ軸まわりの慣性モーメントがより小さくなり、鏡枠装置４Ａが受ける上記衝撃の影響を抑えることができる。
【００７０】
上述した本発明の各実施形態に基づき、以下の構成を提案することができる。すなわち、
（付記１）
第１の光軸に沿って入射した被写体光を上記第１の光軸に交差する第２の光軸に向けて反射する反射光学部材を有するレンズ鏡枠と、
上記第１の光軸に沿って被写体光を上記レンズ鏡枠に導くための開口を有し、上記レンズ鏡枠が取り付けられる固定部材と、
上記開口を開放する位置と、遮蔽する位置との間て移動可能に上記固定部材に取り付けられるレンズバリアと、
上記第１の光軸と第２の光軸とで規定される光軸面を基準として上記レンズ鏡枠の一方側に配されるレンズ鏡枠取り付け部と、
上記レンズ鏡枠に配され、レンズ鏡枠内の可動レンズを駆動するための駆動源と、
上記レンズ鏡枠に配され、上記レンズバリアを駆動するための駆動部材と、
を具備し、上記レンズ鏡枠が上記レンズ鏡枠取り付け部を介して上記固定部材に取り付けられた状態で上記レンズ鏡枠は、上記固定部材に対する上記光軸面に対し直交する方向と上記第２の光軸に平行な方向への移動とが規制され、上記第１の光軸に平行な方向への移動が許容されるように、弾性部材を介して上記固定部材に取り付けられることを特徴とするカメラ。
【００７１】
（付記２）
上記駆動部材は、上記レンズバリアを駆動するためのカムを有し、このカムは、上記レンズ鏡枠が上記固定部材に対し上記第１の光軸に平行な方向に移動した場合であっても上記レンズバリアが変位することのないような平坦カム部を有することを特徴とする付記１記載のカメラ。
【００７２】
この発明は、上記各実施の形態に限ることなく、その他、実施段階ではその要旨を逸脱しない範囲で種々の変形を実施し得ることが可能である。さらに、上記各実施形態には、種々の段階の発明が含まれており、開示される複数の構成要件における適宜な組合せにより種々の発明が抽出され得る。
【産業上の利用可能性】
【００７３】
本発明のカメラは、小型で耐衝撃に優れたレンズ鏡枠の保持を実現可能なカメラとしての利用が可能であり、また、レンズ鏡枠と他の機構との機械的連結が容易であるカメラとしての利用も可能である。
【図面の簡単な説明】
【００７４】
【図１】本発明の第一の実施形態のカメラの撮像光学系の光軸面上における断面図である。
【図２】図１のカメラの前カバーに収納される鏡枠装置内の配置を背面側からみた図である。
【図３】図２の鏡枠装置の内部構成を背面側から見た斜視図である。
【図４】図１のカメラにおける上記鏡枠装置の前カバーへの取り付け状態を示す分解斜視図である。
【図５】図２の鏡枠装置における鏡枠取り付け部の分解斜視図である。
【図６】図５の鏡枠取り付け部の断面拡大図である。
【図７】図１のカメラのレンズバリアおよびバリア駆動伝達部の分解斜視図である。
【図８】図１のカメラのバリア連結部およびバリア駆動伝達部の分解斜視図である。
【図９】図８のバリア駆動伝達部の拡大断面図である。
【図１０】図８のバリア連結部およびバリア駆動伝達部の配置を示す模式的平面図である。
【図１１】図８のバリア連結部のカム部展開図である。
【図１２】図１０のＡ矢視図であって、カメラのレンズバリアの開閉状態を示す図である。
【図１３】本発明の第二の実施形態のカメラの前カバーに収納される鏡枠装置内の配置を背面側から見た図である。
【符号の説明】
【００７５】
２  …前カバー（固定部材）
４，４Ａ
…鏡枠装置（レンズ鏡枠）
１２  …撮影窓（開口）
１９  …第二群レンズ（可動レンズ）
２３  …第三群レンズ（可動レンズ）
２５  …第四群レンズ（可動レンズ）
３１  …反射光学系ユニット（反射光学部材）
３３  …ズーム用アクチュエータ（駆動源）
３５  …フォーカス用アクチュエータ（駆動源）
３８  …バリア連結部（駆動部材）
４１，４２
…固定ピン（レンズ鏡枠取り付け部）
４３，４４，４５，４６
…ゴムブッシュ（レンズ鏡枠取り付け部）
７７  …レンズバリア
Ｏ1 …第一の光軸
Ｏ2 …第二の光軸
【図１】
2007199208.tif 000003
【図２】
2007199208.tif 000004
【図３】
2007199208.tif 000005
【図４】
2007199208.tif 000006
【図５】
2007199208.tif 000007
【図６】
2007199208.tif 000008
【図７】
2007199208.tif 000009
【図８】
2007199208.tif 000010
【図９】
2007199208.tif 000011
【図１０】
2007199208.tif 000012
【図１１】
2007199208.tif 000013
【図１２】
2007199208.tif 000014
【図１３】
2007199208.tif 000015